(57)【要約】【課題】原稿搬送型の画像読取り装置において、白基準と黒基準とを読取り位置に選択可能にするとともに、両面読取り型の画像読取り装置において、２個の固定光学系に対して、白基準と黒基準とを読取り位置に選択可能にする、画像読取り装置の裏当て切替え機構を提供することにある。【解決手段】原稿搬送路に沿って搬送される原稿の画像を読み取る画像読取りセンサーと、白基準と黒基準とを形成し前記画像読取りセンサーが読み取る読取り位置に対向して配置する裏当てと、前記裏当ての白基準と黒基準とを前記読取り位置に選択可能にする裏当て切替え機構とを構成する画像読取り装置の裏当て切替え機構において、前記裏当て切替え機構は、白基準を原稿搬送方向に原稿面と平行にスライドさせるスライド機構を備え、白基準領域の任意の箇所を前記読取り位置に対向するように移動させる。【選択図】　　　　　　図１
2004056672.tif 000002
【特許請求の範囲】
【請求項１】
原稿搬送路に沿って搬送される原稿の画像を読み取る画像読取りセンサーと、白基準と黒基準とを形成し前記画像読取りセンサーが読み取る読取り位置に対向して配置する裏当てと、前記裏当ての白基準と黒基準とを前記読取り位置に選択可能にする裏当て切替え機構とを構成する画像読取り装置の裏当て切替え機構において、
前記裏当て切替え機構は、白基準を原稿搬送方向に原稿面と平行にスライドさせるスライド機構を備え、
白基準領域の任意の箇所を前記読取り位置に対向するように移動させる、
ことを特徴とする画像読取り装置の裏当て切替え機構。
【請求項２】
前記裏当て切替え機構は、
前記読取り位置に配置するガラスと当該ガラスに当接する箱型のフレームとを密閉構造とし、
原稿搬送方向に所定の角度で傾斜させたガイド穴を形成し、前記フレーム内を原稿搬送方向と直交する方向にスライドする黒基準となるスライダーと、
前記ガイド穴に係着する白基準に設ける摺動突起とを備え、
スライダーをスライドさせることにより白基準をガラス面に近接させて原稿搬送方向にガラス面と平行にスライドさせる、
ことを特徴とする請求項１記載の画像読取り装置の裏当て切替え機構。
【請求項３】
原稿搬送路に沿って搬送される原稿の画像を読み取る画像読取りセンサーと、白基準と黒基準とを形成し前記画像読取りセンサーが読み取る読取り位置に対向して配置する裏当てと、前記裏当ての白基準と黒基準とを前記読取り位置に選択可能にする裏当て切替え機構とを構成し、当該裏当て切替え機構は、白基準を原稿搬送方向に原稿面と平行にスライドさせるスライド機構を備え、白基準領域の任意の箇所を前記読取り位置に対向するように移動させる、画像読取り装置の裏当て切替え機構を備える画像読取り装置の制御方法において、
白基準を読取り位置に移動させて各読取り位置で読取った白基準の各々の白出力値を記憶し、
各読取り位置での各々の白出力値からゴミが検出されたか判定し、
一部の読取り位置でゴミが検出された場合は、白基準に付着するゴミであると判定して白基準をゴミが検出されない読取り位置まで移動させ、
全ての読取り位置でゴミが検出された場合は、ガラスに付着する埃であると判定してゴミ取り補正を行う、
ことを特徴とする画像読取り装置の制御方法。
【発明の詳細な説明】
【０００１】
【発明の属する技術分野】
この発明は、原稿搬送型の画像読取り装置の裏当て切替え機構及び画像読取り装置の制御方法に関し、白基準と黒基準とを形成する裏当てを光源からの距離を一定にして配置し、白基準と黒基準とを読取り位置に選択可能にする画像読取り装置の裏当て切替え機構に関するものである。また、白基準に付着するゴミと、画像読取り位置に配置するガラスに付着する埃とを区別する画像読取り装置の制御方法に関するものである。
【０００２】
【従来の技術】
自動給紙読取りを行う画像読取り装置は、白基準と黒基準とを形成した裏当てを画像読取りセンサーが読み取る読取り位置に対向して配置し、裏当ての白基準と黒基準とを読取り位置に選択可能にすることで、各機能を実現していることは一般的に知られている。
【０００３】
例えば、各機能としては、裏当て背景を黒色にし、デスキューを可能にする。また、自動的に原稿サイズを検知する。さらに、薄手の両面原稿の画像を読取る際には、裏写りを防止する。また、裏当て背景を白色にし、読取り位置に配置するガラス面や白基準面に付着する埃等を検出し、埃等により読取り画像に現れる縦スジを除去する。
【０００４】
裏当ての白基準と黒基準とを読取り位置に選択可能にする機構としては、下記の機構が知られている。
【０００５】
原稿搬送型の画像読取り装置において、シェーディング補正用のローラを用いるものがある。このローラは、外周面が白色となった基準白部と、外周面が黒色となった黒部とから構成されている。このローラを回転させることによって、画像読取りセンサーに対して、基準白部と黒部との何れかを選択する。（特開平５−１４７１７号公報参照）
【０００６】
また、固定光学系と可動光学系とを備える両面画像読取り装置において、固定側の光学系が参照すべき白基準及び黒基準を可動側の光学系に設ける。（特開２００１−１６４１２号公報参照）
【０００７】
【発明が解決しようとする課題】
前記のごとく、従来の技術では次のような問題点がある。
【０００８】
シェーディング補正用のローラを用いる場合は、読取り位置に対してシェーディング補正用のローラの回転支点部が一致して対向していることが必須であり、ローラの回転支点部と読取り位置とが一致しない場合は、光源から読取り位置における白基準までの距離にバラツキがでることにより、白基準を照射する光量が変化することから、白基準を読取った出力波形が乱れ正確なシェーディング補正が行えない場合がある。
【０００９】
また、固定光学系と可動光学系とを備える両面画像読取り装置において、固定側の光学系が参照すべき白基準及び黒基準を可動側の光学系に設ける場合は、原稿読取り面と白基準読取り面との距離に大きな差があり、白基準を照射する光量と原稿を照射する光量とに差があることから、正確なシェーディング補正が行えない場合がある。また、両面画像読取り装置において、２個の固定光学系のみを設ける場合は、白基準と黒基準とを読取り位置に選択可能にすることができない。
【００１０】
この発明の課題は、
原稿搬送型の画像読取り装置において、白基準と黒基準とを形成する裏当てを光源からの距離を一定にして配置し、白基準と黒基準とを読取り位置に選択可能にする機構を設け、白基準を照射する光量が変化することがない、画像読取り装置の裏当て切替え機構を提供することにある。
【００１１】
さらに、原稿搬送型の両面画像読取り装置において、２個の固定光学系に対して、白基準と黒基準とを読取り位置に選択可能にすることにある。
【００１２】
【課題を解決するための手段】
前記の問題点を解決するために、この発明では次に示す手段を取った。
【００１３】
原稿搬送型の画像読取り装置において、裏当てを構成する白基準と黒基準とを光源からの距離を一定にして読取り位置に選択可能にするために、白基準を原稿搬送方向に原稿面と平行にスライドさせるスライド機構を備え、白基準領域の任意の箇所を読取り位置に対向するように移動させる。
【００１４】
上記の手段をとることにより、白基準を照射する光量が変化することがない。また、原稿搬送型の両面画像読取り装置において、２個の固定光学系に対して、白基準と黒基準とを読取り位置に選択可能にする。
【００１５】
上記の構成を持つ画像読取り装置の制御方法において、
白基準を読取り位置に移動させて各読取り位置で読取った白基準の各々の白出力値を記憶し、
各読取り位置での各々の白出力値からゴミが検出されたか判定し、
一部の読取り位置でゴミが検出された場合は、白基準をゴミが検出されない読取り位置まで移動させ、
全ての読取り位置でゴミが検出された場合は、ゴミ取り補正を行う。
【００１６】
上記の手段をとることにより、白基準を読取り位置に移動させて各読取り位置で読取った白基準の各々の白出力値に基いて、白基準に付着するゴミと、画像読取り位置に配置するガラスに付着する埃とを区別する。
【００１７】
【発明の実施の形態】
この発明は、次に示す実施の形態を取った。
【００１８】
画像読取り装置の裏当て切替え機構は、
原稿搬送路に沿って搬送される原稿の画像を読み取る画像読取りセンサーと、白基準と黒基準とを形成し前記画像読取りセンサーが読み取る読取り位置に対向して配置する裏当てと、前記裏当ての白基準と黒基準とを前記読取り位置に選択可能にする裏当て切替え機構とを構成する画像読取り装置の裏当て切替え機構において、
前記裏当て切替え機構は、白基準を原稿搬送方向に原稿面と平行にスライドさせるスライド機構を備え、
白基準領域の任意の箇所を前記読取り位置に対向するように移動させる。
【００１９】
上記の形態をとることにより、白基準と黒基準とを形成する裏当てを光源からの距離を一定にして配置し、白基準と黒基準とを読取り位置に選択可能にし、白基準を原稿搬送方向に原稿面と平行にスライドさせるスライド機構を設けることで、白基準を照射する光量が変化することがない。また、原稿搬送型の両面画像読取り装置において、２個の固定光学系に対して、白基準と黒基準とを読取り位置に選択可能にする。
【００２０】
さらに、前記裏当て切替え機構は、
前記読取り位置に配置するガラスと当該ガラスに当接する箱型のフレームとを密閉構造とし、
原稿搬送方向に所定の角度で傾斜させたガイド穴を形成し、フレーム内を原稿搬送方向と直交する方向にスライドする黒基準となるスライダーと、
前記ガイド穴に係着する白基準に設ける摺動突起とを備え、
スライダーをスライドさせることにより白基準をガラス面に近接させて原稿搬送方向にガラス面と平行にスライドさせる。
【００２１】
上記の形態をとることにより、ガラスとフレームとを密閉構造とした中に裏当て切替え機構部を設けるので、白基準及び黒基準に付着するゴミを低減する。また、スライダーを任意の位置までスライドさせることで、白基準の任意の箇所を読取り位置に対向するように移動させる。
【００２２】
また、画像読取り装置の制御方法は、
原稿搬送路に沿って搬送される原稿の画像を読み取る画像読取りセンサーと、白基準と黒基準とを形成し前記画像読取りセンサーが読み取る読取り位置に対向して配置する裏当てと、前記裏当ての白基準と黒基準とを前記読取り位置に選択可能にする裏当て切替え機構とを構成し、当該裏当て切替え機構は、白基準を原稿搬送方向に原稿面と平行にスライドさせるスライド機構を備え、白基準領域の任意の箇所を前記読取り位置に対向するように移動させる、画像読取り装置の裏当て切替え機構を備える画像読取り装置の制御方法において、
白基準を読取り位置に移動させて各読取り位置で読取った白基準の各々の白出力値を記憶し、
各読取り位置での各々の白出力値からゴミが検出されたか判定し、
一部の読取り位置でゴミが検出された場合は、白基準に付着するゴミであると判定して白基準をゴミが検出されない読取り位置まで移動させ、
全ての読取り位置でゴミが検出された場合は、ガラスに付着する埃であると判定してゴミ取り補正を行う。
【００２３】
上記の形態をとることにより、白基準を原稿搬送方向に原稿面と平行にスライドさせるスライド機構を備え、白基準を読取り位置に移動させて各読取り位置で読取った白基準の各々の白出力値に基いて、白基準に付着するゴミと、画像読取り位置に配置するガラスに付着する埃とを区別してゴミ取り補正を行う。
【００２４】
【実施例】
この発明による代表的な実施例を図１ないし図１１によって説明する。なお、以下において、同じ箇所は同一の符号を付してあり、詳細な説明を省略することがある。
【００２５】
図１ないし図４は本発明の実施例の模式図を示す。
【００２６】
図１ないし図３において、画像読取り装置の裏当て切替え機構は、図示しない原稿搬送路に沿って搬送される原稿の画像を光源２３により照射し、その反射光が結像レンズ２２を経由し、画像読取りセンサー２１に入力されて画像を読取る固定光学系を構成している画像読取り装置に適用される。
【００２７】
裏当ては、ガラス２と、白基準４と、黒基準となるスライダー７とを形成し、前記画像読取りセンサー２１が読み取る読取り位置に対向して配置している。裏当て切替え機構は、白基準４と、黒基準となるスライダー７とを画像読取りセンサー２１が読み取る読取り位置に選択可能にするために、白基準４を原稿搬送方向に原稿面と平行にスライドさせるスライド機構を備える。当該スライド機構は、白基準領域の任意の箇所を画像読取りセンサー２１が読み取る読取り位置に対向するように移動させることができる。
【００２８】
前記裏当て切替え機構は、ガラス２と、フレーム３と、白基準４と、スライダー７とを主構成とし、ガラス２は、箱型に形成するフレーム３に当接して密閉構造にしている。白基準４は、白基準４に固定して設ける突起部材５を設け、突起部材５には摺動突起６を形成する。なお、摺動突起６は、白基準４と一体で形成しても良い。
【００２９】
スライダー７は、黒色で形成するとともに、摺動突起６と係着する原稿搬送方向に所定の角度で傾斜させたガイド穴１１（図２参照）を形成している。また、スライダー７は、スライド穴１２（図２参照）を形成し、フレーム３に形成するガイド突起８（図２、図３（ａ）参照）とスライド穴１２とが係着してフレーム３内を原稿搬送方向と直交する方向にスライドする。
【００３０】
また、スライダー７は、ラック９（図３（ｂ）参照）をフレーム３から突出させて形成し、図示しないピニオンの駆動によって、フレーム３内を原稿搬送方向と直交する方向に移動するスライド方向とスライド量とを規定する。これにより、スライダー７を任意の位置までスライドさせることで、白基準４の任意の箇所を画像読取りセンサー２１が読み取る読取り位置に対向するように移動させる。
【００３１】
また、図４に示すように、スライダー７は、ガラス２の両端部近傍に当接するガラス面摺動部１５と、フレーム３に当接するフレーム摺動部１６とを形成し、スライダー７をスライドさせることにより、白基準４をガラス２面に近接させて原稿搬送方向にガラス２面と平行にスライドさせる。
【００３２】
図１（ａ）及び図２（ａ）は、スライダー７を左方向にスライドさせることにより、白基準４を画像読取りセンサー２１が読み取る読取り位置に対向するようにした状態を示している。また、図１（ｂ）図２（ｂ）は、スライダー７を右方向にスライドさせることにより、白基準４を画像読取りセンサー２１が読み取る読取り位置から退避させて、スライダー７（黒基準）を画像読取りセンサー２１が読み取る読取り位置に対向するようにした状態を示している。
【００３３】
上記の構成によれば、白基準と黒基準とを形成する裏当てを光源からの距離を一定にして配置し、白基準と黒基準とを読取り位置に選択可能にし、白基準を原稿搬送方向に原稿面と平行にスライドさせるスライド機構を設けることで、白基準を照射する光量が変化することがない。また、原稿搬送型の両面画像読取り装置において、２個の固定光学係に対して、白基準と黒基準とを読取り位置に選択可能にする。また、ガラスとフレームとを密閉構造とした中に裏当て切替え機構部を設けるので、白基準に付着するゴミを低減する。
【００３４】
次に、前述の裏当て切替え機構を備える画像読取り装置の制御において、白基準に付着するゴミと、画像読取り位置に配置するガラスに付着する埃とを区別する制御について説明する。
【００３５】
図５は、本発明の実施例のブロック図を示す。
【００３６】
同図において、画像読取り装置３０は、制御部３１と、画像読取り部３２と、白基準記憶部３３と、白基準駆動部３４と、検出部３５と、ゴミ取り補正部３６と、シェーディング補正部３７とを構成する。
【００３７】
画像読取り部３２は、固定光学系を構成して読取り位置における白基準を含む読取り面の画像を読取る。白基準記憶部３３は、白基準を読取り位置に移動させて各読取り位置で読取った白基準の各々の白出力値を記憶する。白基準駆動部３４は、前記裏当て切替え機構を駆動して、白基準４の任意の箇所を画像読取りセンサー２１が読み取る読取り位置に対向するように移動させる。
【００３８】
検出部３５は、各読取り位置での各々の白出力値からゴミが検出されたか判定する。なお、一部の読取り位置でゴミが検出された場合は、白基準に付着するゴミであると判定し、全ての読取り位置でゴミが検出された場合は、ガラスに付着する埃であると判定する。
【００３９】
ゴミ取り補正部３６は、ガラスに付着する埃であると判定する場合に、例えば、隣接ビットの平均化処理等によってゴミ取り補正を行う。シェーディング補正部３７は、再生像の明るさのムラを補正して、均一な出力値が得られるように白レベルを作成する。制御部３１は、制御プログラムに基いて画像読取り装置３０を制御する。
【００４０】
図６は、本発明の実施例のフローチャートを示す。
【００４１】
ステップＳ０１において、制御部３１は、ゲインコントロール、シェーディングを開始する。
【００４２】
ステップＳ０２において、白基準駆動部３４は、前記裏当て切替え機構を駆動して白基準４の任意の箇所を画像読取りセンサー２１が読み取る読取り位置に対向するように移動させる。画像読取り部３２は、読取り位置における白基準を順次に読取り、各読取り位置で読取った白基準の各々の白出力値を白基準記憶部３３に記憶する。
【００４３】
ステップＳ０３において、検出部３５は、白基準記憶部３３に記憶する各読取り位置で読取った白基準の各々の白出力値に基いて、読取り位置でのゴミが検出されたか判定する。読取り位置でゴミが検出された場合は、ステップＳ０４に進む。各読取り位置でゴミが検出されない場合は、ステップＳ０７に進む。
【００４４】
ステップＳ０４において、検出部３５は、全ての読取り位置でゴミが検出されたか判定する。全ての読取り位置でゴミが検出された場合は、ガラスに付着する埃であると判定し、ステップＳ０５に進む。一部の読取り位置でゴミが検出された場合は、白基準に付着するゴミであると判定し、ステップＳ０６に進む。
【００４５】
ステップＳ０５において、ゴミ取り補正部３６は、ガラスに付着する埃であると判定する場合に、ゴミ取り補正を行う。
【００４６】
ステップＳ０６において、制御部３１は、白基準に付着するゴミであると判定する場合に、白基準駆動部３４によって白基準をゴミが検出されない読取り位置まで移動させる。
【００４７】
ステップＳ０７において、シェーディング補正部３７は、再生像の明るさのムラを補正して、均一な出力値が得られるように白レベルを作成する。
【００４８】
ステップＳ０８において、画像読取り部３２は、読取り位置に搬送される原稿を読取る。
【００４９】
ステップＳ０９において、制御部３１は、１枚毎、または複数枚毎にゴミ検出処理が必要か判定し、ゴミ検出処理が必要であれば、ステップＳ０１に戻り、必要でなければ処理を終了する。
【００５０】
次に、前述の裏当て切替え機構を備えるとともに、原稿搬送路に沿って搬送される原稿の画像読取り部位の上流部位にインクジェットプリンタを備える画像読取り装置において、インクの黒色の特性を利用して、画像読取り位置に配置するガラスにインクが転写したか、または、紙粉が付着したかを区別する制御を説明する。
【００５１】
図７は他の実施例の図を示す。同図（ｂ）において、例えば、画像読取り装置は、搬送ローラ５６、原稿ガイド５７等からなる原稿搬送路に沿って搬送される原稿６０の画像読取り部位の上流部位にインクジェットプリンタを構成するインクジェットプリンタヘッド５１が配置されている。インクジェットプリンタヘッド５１は、同図（ａ）に示すように、ナンバリング等を原稿搬送方向（副走査方向）に印刷を行い、印刷結果を画像読取りセンサー５２で読取るように構成されている。当該画像読取り装置において、インクジェットプリンタによる印刷以降では、インクが未定着のままで原稿搬送路に沿って画像読取り部位や画像読取り部位の下流へと搬送される。
【００５２】
上記の様に構成される画像読取り装置では、画像読取りセンサー５２が読取る読取り位置において、原稿６０は読取り位置に配置する上ガラス５５ａと接触する場合がある。この時、インクジェットプリンタを採用することにより、原稿を読取る前に印刷を行うため、乾ききっていないインクが上ガラス５５ａに転写して上ガラス５５ａを汚してしまう場合がある。
【００５３】
この様な場合において、図８に示すように、画像読取りセンサー５２が読取る読取り位置において、下ガラス５５ｂの下側に配置する白基準６１と黒基準６２とを切替え、画像読取り位置に配置する上ガラス５５ａにインクが転写したか、または、上ガラス５５ａあるいは下ガラス５５ｂに紙粉が付着したかを区別するものである。
【００５４】
図９に示すように、読取り位置で読取った白基準の白出力波形の落込みと、黒基準の黒出力波形の落込みとによって、ガラスにインクが転写したか、または、ガラスに紙粉が付着したかを区別する。なお、同図（ａ）は、ガラスに紙粉が付着せず、ガラスにインクも転写していない状態を示す。また、同図（ｂ）は、ガラスに紙粉が付着しており、ガラスにインクが転写していない状態を示す。また、同図（ｃ）は、ガラスに紙粉が付着せず、ガラスにインクが転写した状態をそれぞれ示す。
【００５５】
図１０は、他の実施例のブロック図を示す。
【００５６】
同図において、画像読取り装置３０は、制御部３１と、画像読取り部３２と、白基準記憶部３３と、黒基準記憶部４０と、白基準／黒基準駆動部４１と、検出部３５と、ゴミ取り補正部３６と、シェーディング補正部３７とを構成する。
【００５７】
なお、制御部３１と、画像読取り部３２と、白基準記憶部３３と、ゴミ取り補正部３６と、シェーディング補正部３７とは、前述の図５で示した箇所と同様である。
【００５８】
黒基準記憶部３３は、黒基準を読取り位置に移動させて読取り位置で読取った黒基準の黒出力値を記憶する。白基準／黒基準駆動部４１は、前記裏当て切替え機構を駆動して、白基準４あるいは黒基準を画像読取りセンサー２１が読み取る読取り位置に対向するように移動させる。
【００５９】
検出部３５は、読取り位置で読取った白基準の白出力波形の落込みと、黒基準の黒出力波形の落込みとによって、ガラスにインクが転写したか、または、ガラスに紙粉が付着したかを区別する。
【００６０】
図１１は、他の実施例のフローチャートを示す。
【００６１】
ステップＳ１１において、制御部３１は、ゲインコントロール、シェーディングを開始する。
【００６２】
ステップＳ１２において、白基準／黒基準駆動部４１は、前記裏当て切替え機構を駆動して、白基準４を画像読取りセンサー２１が読み取る読取り位置に対向するように移動させる。画像読取り部３２は、読取り位置における白基準を読取り、読取り位置で読取った白基準の白出力値を白基準記憶部３３に記憶する。
【００６３】
ステップＳ１３において、検出部３５は、白基準記憶部３３に記憶する白出力値に基いて、読取り位置で読取った白基準の白出力波形に落込みが有るか判定する。白出力波形に落込みが有る場合は、ステップＳ１４に進む。白出力波形に落込みが無い場合は、ステップＳ１８に進む。
【００６４】
ステップＳ１４において、白基準／黒基準駆動部４１は、前記裏当て切替え機構を駆動して、黒基準を画像読取りセンサー２１が読み取る読取り位置に対向するように移動させる。画像読取り部３２は、読取り位置における黒基準を読取り、読取り位置で読取った黒基準の黒出力値を黒基準記憶部４０に記憶する。
【００６５】
ステップＳ１５において、検出部３５は、黒基準記憶部４０に記憶する黒出力値に基いて、読取り位置で読取った黒基準の黒出力波形に落込みが有るか判定する。黒出力波形に落込みが有る場合は、画像読取り位置に配置する上ガラス５５ａにインクが転写したと判定し、ステップＳ１６に進む。黒出力波形に落込みが無い場合は、、上ガラス５５ａあるいは下ガラス５５ｂに紙粉が付着したと判定し、ステップＳ１７に進む。
【００６６】
ステップＳ１６において、制御部３１は、上ガラス５５ａにインクが転写したと判定した場合に、図示しないオペレーションパネルに清掃を促すメッセージを出力して処理を終了する。
【００６７】
ステップＳ１７において、制御部３１は、上ガラス５５ａあるいは下ガラス５５ｂに紙粉が付着したと判定した場合に、ゴミ取り補正部３６によってゴミ取り補正を行う。
【００６８】
ステップＳ１８において、シェーディング補正部３７は、再生像の明るさのムラを補正して、均一な出力値が得られるように白レベルを作成する。
【００６９】
ステップＳ１９において、画像読取り部３２は、読取り位置に搬送される原稿を読取り、処理を終了する。
【００７０】
【発明の効果】
この発明により、以下に示すような効果が期待できる。
【００７１】
白基準と黒基準とを形成する裏当てを光源からの距離を一定にして配置し、白基準と黒基準とを読取り位置に選択可能にすることができる。また、白基準を原稿搬送方向に原稿面と平行にスライドさせるスライド機構を設けることで、白基準を照射する光量を一定にすることができる。また、原稿搬送型の両面画像読取り装置において、２個の固定光学系に対して、白基準と黒基準とを読取り位置に選択可能にすることができる。
【００７２】
さらに、ガラスとフレームとを密閉構造とした中に裏当て切替え機構部を設けることにより、白基準に付着するゴミを低減することができる。また、スライダーを任意の位置までスライドさせることで、白基準の任意の箇所を読取り位置に対向するように移動させることができる。
【００７３】
白基準を原稿搬送方向に原稿面と平行にスライドさせるスライド機構を備え、白基準を読取り位置に移動させて各読取り位置で読取った白基準の各々の白出力値に基いて、白基準に付着するゴミと、画像読取り位置に配置するガラスに付着する埃とを区別することができる。
【図面の簡単な説明】
【図１】本発明の実施例の模式図である。
【図２】本発明の実施例の模式図である。
【図３】本発明の実施例の模式図である。
【図４】本発明の実施例の模式図である。
【図５】本発明の実施例のブロック図である。
【図６】本発明の実施例のフローチャートである。
【図７】他の実施例の図である。
【図８】他の実施例の図である。
【図９】他の実施例の図である。
【図１０】他の実施例のブロック図である。
【図１１】他の実施例のフローチャートである。
【符号の説明】
２：ガラス
３：フレーム
４：白基準
６：摺動突起
７：スライダー
１１：ガイド穴
３０：画像読取り装置
３１：制御部
３２：画像読取り部
３３：白基準記憶部
３４：白基準駆動部
３５：検出部
３６：ゴミ取り補正部
３７：シェーディング補正部
【図１】
2004056672.tif 000003
【図２】
2004056672.tif 000004
【図３】
2004056672.tif 000005
【図４】
2004056672.tif 000006
【図５】
2004056672.tif 000007
【図６】
2004056672.tif 000008
【図７】
2004056672.tif 000009
【図８】
2004056672.tif 000010
【図９】
2004056672.tif 000011
【図１０】
2004056672.tif 000012
【図１１】
2004056672.tif 000013